(57)【要約】【課題】幅木が足場板本体に連結、一体化され幅木を使用しないときは幅木をコンパクトに格納でき、幅木を使用するとき足場板と幅木との間に隙間がなくしかも通路幅を狭めない足場板を提供する。【解決手段】ケーシング２７内に巻取装置を内蔵し、シート２５を巻き取り及び引き出し可能なロールスクリーン状の幅木２０と、前記幅木２０を格納する格納部１５を裏側に有する足場板本体３と、前記幅木２０を支持し前記足場板本体３に回動自在に連結され、幅木２０を足場板本体の側面部８、９に起立させると共に幅木２０を前記格納部１５に格納可能な連結具４０ａと、を含み、前記幅木２０を使用するときは、前記シート２５を前記足場板本体の側面部８、９に接するまで引き出し足場板本体の側面部８、９に起立させ、前記幅木２０を使用しないときは、前記シート２５をケーシング２７内に格納した後、前記格納部１５に格納する。【選択図】図３
2011226093.tif 000002
【特許請求の範囲】
【請求項１】
ケーシング内に巻取装置を内蔵し、シートを巻き取り及び引き出し可能なロールスクリーン状の幅木と、
前記幅木を格納する格納部を裏側に有する足場板本体と、
前記幅木を支持し前記足場板本体に回動自在に連結され、幅木を足場板本体の側面部に起立させると共に幅木を前記格納部に格納可能な連結具と、を含み、
前記幅木を使用するときは、前記シートを前記足場板本体の側面部に接するまで引き出し足場板本体の側面部に起立させ、前記幅木を使用しないときは、前記シートをケーシング内に格納した後、前記格納部に格納することを特徴とする足場板。
【請求項２】
前記ケーシングは、前記格納部に格納されたとき、足場板本体から突出しない大きさからなることを特徴とする請求項１に記載の足場板。
【請求項３】
前記格納部は、前記足場板本体の短手方向を正面にして見て短手方向の中央部に設けられていることを特徴とする請求項１又は２に記載の足場板。
【請求項４】
前記連結具は、前記ケーシングと前記足場板本体とを連結する連結部材が伸縮又は折り畳み可能であり、前記幅木を足場板本体の幅以上の高さに起立させることができることを特徴とする請求項１から３のいずれか１に記載の足場板。
【発明の詳細な説明】
【技術分野】
【０００１】
本発明は、幅木を備える足場板に関し、特に幅木が足場板本体に一体化され、かつ幅木をコンパクトに格納できる足場板に関する。
本発明において、特に断りがない限り足場板本体の側面は、長手方向の側面を言い、足場板本体の前又は後は、長手方向の側面を正面にして見たときの左右いずれか一方を言う。
【背景技術】
【０００２】
建設現場等で使用される足場については、労働安全衛生規則に基づき足場からの墜落防止及び物体の落下防止対策が義務付けられている。これら墜落、落下防止対策の一つに交さ筋交かいに幅木の設置がある。これまで多くの現場では、幅木に足場板を使用しているが、この方法は幅木の設置に工具が必要であり、また時間がかかる。また、交さ筋交かいへの干渉を避けて斜めに設置されるため作業通路幅が狭くなり、さらに足場板の使用量が多くなり、結果として建設コスト増となる。
【０００３】
従来の足場板を番線等で固定して幅木とするやり方が有する課題を解決するものとして、フックを備える幅木、又は足場板本体に対して楔構造とピンとで着脱自在に取り付けることが可能な幅木を備える足場板がある（例えば特許文献１、特許文献２参照）。
【０００４】
特許文献１及び特許文献２に記載の幅木は、取り付けは簡単に行えるが、収納するときは足場板と幅木とを分離して収納する必要があり、幅木を収納する場所も別途必要となる。これらが不便であるとして、幅木と足場板本体とが連結、一体化され、幅木を使用しないときは幅木を足場板本体の裏側に格納する足場板が提案されている（例えば特許文献３参照）。
【先行技術文献】
【特許文献】
【０００５】
【特許文献１】特許第３８６９２７７号公報
【特許文献２】特許第３８４６９１５号公報
【特許文献３】特開平８−１２８１９２号公報
【発明の概要】
【発明が解決しようとする課題】
【０００６】
特許文献３に記載の足場板は、幅木と足場板本体とが連結、一体化され、幅木を使用しないときは幅木は足場板本体の裏側に格納することができるので、幅木の設置も簡単で、さらに幅木の収納場所も不要であり好ましい足場板の一つと言える。特許文献３に記載の足場板は、幅木を使用しないとき幅木を足場板本体の裏側に格納することができるが、幅木はそのまま格納される。幅木をコンパクトに格納できれば格納部の大きさは小さくなるので、足場板本体を特殊な構造、形状とする必要がなく実用化し易い。また、幅木をコンパクトに格納でき、幅木を使用するとき幅木を足場板本体の幅以上の高さに起立させることができればより好ましい。
【０００７】
本発明の目的は、幅木が足場板本体に連結、一体化され幅木を使用しないときは幅木をコンパクトに格納でき、幅木を使用するとき足場板と幅木との間に隙間がなくしかも通路幅を狭めない足場板を提供することである。
【課題を解決するための手段】
【０００８】
請求項１に記載の本発明は、ケーシング内に巻取装置を内蔵し、シートを巻き取り及び引き出し可能なロールスクリーン状の幅木と、前記幅木を格納する格納部を裏側に有する足場板本体と、前記幅木を支持し前記足場板本体に回動自在に連結され、幅木を足場板本体の側面部に起立させると共に幅木を前記格納部に格納可能な連結具と、を含み、前記幅木を使用するときは、前記シートを前記足場板本体の側面部に接するまで引き出し足場板本体の側面部に起立させ、前記幅木を使用しないときは、前記シートをケーシング内に格納した後、前記格納部に格納することを特徴とする足場板である。
【０００９】
請求項２に記載の本発明は、請求項１に記載の足場板において、前記ケーシングは、前記格納部に格納されたとき、足場板本体から突出しない大きさからなることを特徴とする。
【００１０】
請求項３に記載の本発明は、請求項１又は２に記載の足場板において、前記格納部は、前記足場板本体の短手方向を正面にして見て短手方向の中央部に設けられていることを特徴とする。
【００１１】
請求項４に記載の本発明は、請求項１から３のいずれか１に記載の足場板において、前記連結具は、前記ケーシングと前記足場板本体とを連結する連結部材が伸縮又は折り畳み可能であり、前記幅木を足場板本体の幅以上の高さに起立させることができることを特徴とする。
【発明の効果】
【００１２】
本発明に係る足場板は、幅木と足場板本体とが連結、一体化された足場板であって、幅木は、ロールスクリーン状の幅木であるので、工具を必要とせず簡単に幅木を設置することができる。また本発明に係る足場板は、幅木を足場板本体の裏側に格納できる格納式の足場板でもあり、幅木はロールスクリーン状でコンパクトであるので、足場板本体の裏側の格納部の大きさを小さくすることができる。これにより足場板本体を特殊な構造、形状とする必要がなく実用化しやすい。また幅木を使用するときは、シートを足場板本体の側面部に接するまで引き出し足場板本体の側面部に起立させ使用するので、足場板と幅木との間に隙間が出来ず、しかも幅木はシートが足場板本体の側面部に接するように位置するのでシートを引き出しても通路幅を狭めることがない。
【００１３】
また本発明によれば、前記ケーシングは、足場板本体の格納部に格納されたとき、足場板本体から突出しない大きさからなるので、足場板を積み重ねるときも幅木が邪魔とならない。このため足場板を倉庫等に保管するときも場所を取らず好ましい。
【００１４】
また本発明によれば、足場板本体の格納部は、足場板本体の短手方向を正面にして見て短手方向の中央部に設けられているので、連結具の長さを足場板本体の幅の略半分とすることができる。このため幅木の高さを十分に高くすることができる。
【００１５】
また本発明によれば、前記連結具は、ケーシングと足場板本体とを連結する連結部材が伸縮又は折り畳み可能であり、幅木を足場板本体の幅以上の高さに起立させることができるので、幅木の高さを十分に高くしたい足場板に好適に使用することができる。連結具の高さに応じて幅木の高さも高くする必要があり格納が懸念されるが、本発明に係る幅木は、使用しないときはシートは巻き取り格納されるので、足場板本体の裏側への格納も容易である。
【図面の簡単な説明】
【００１６】
【図１】本発明の第１実施形態としての足場板１の斜視図であり、幅木２０を格納した状態を示す図である。
【図２】図１の足場板本体３への格納部１５の形成要領を模式的に示す断面図である。
【図３】図１の足場板１の幅木２０を使用可能にしている状態を示す斜視図である。
【図４】図１の足場板１の幅木２０を使用可能にしている状態を足場板本体の前面側から見た部分拡大図である。
【図５】図１の足場板１の斜視図であり、幅木２０を足場板本体の両側面に起立させた状態を示す図である。
【図６】図１の足場板１の変形例であり、連結棒の長腕部４８ａの構造を模式的に示す図である。
【発明を実施するための形態】
【００１７】
図１は、本発明の第１実施形態としての足場板１の斜視図であり、幅木２０を格納した状態を示す図である。図２は、足場板本体３への格納部１５の形成要領を模式的に示す断面図である。図３は、幅木２０を使用可能にしている状態を示す斜視図であり、図４はこれを足場板本体の前面側から見た部分拡大図である。図５は、足場板１の斜視図であり、幅木２０を足場板本体の両側面に起立させた状態を示す図である。本実施形態において、左右とは足場板本体３の前面６を正面にして見たときの左右、前後とは、足場板本体３の左側側面８を正面にして見たとき足場板本体３の前面６側を前、足場板本体３の後面７側を後と言う。
【００１８】
足場板１は、細長い足場板本体３と、左右一対の幅木２０と、左右それぞれの幅木２０を足場板本体３に回動自在に連結する連結具４０を備え、幅木２０と足場板本体３とが連結、一体化された足場板である。また幅木２０を使用しないとき、足場板１を保管するときなどには幅木２０を足場板本体３の裏側の格納部１５に格納可能であり、幅木２０を使用するとき、幅木２０を格納部１５から出し、起立させ使用する格納式の幅木２０を備える足場板１でもある。
【００１９】
足場板本体３は、細長い板状の形状を有し、裏側（底面１１）に左右の幅木２０を格納するための凹部状の格納部１５を備える。足場板本体３には、格納部１５が設けられているがこの格納部１５を除けば、従来から建築現場等で使用されている足場板本体と変わるところはない。足場板本体３の構造には、図２（ａ）、（ｂ）に示すように枠体１６の上に平板１７が取り付けられ補強材１８で補強された足場板本体３、全体が一枚の板で形成された足場板本体３などがあり、材質も鋼製、アルミニウム製など、さらには足場板本体の上面１０に滑り止めが設けられ、あるいは上面１０に多数の貫通孔が穿設された足場板本体など種々の足場板本体３があるが、裏側に左右の幅木２０を格納するための凹部状の格納部１５を形成できれば特定の足場板本体３に限定されるものではない。
【００２０】
格納部１５は、足場板本体３の短手方向を正面にして見て、矩形形状の格納部１５が短手方向の中央部で下方に設けられている。この格納部１５は、足場板本体３の前面６から後面７まで足場板本体３の長手方向を貫通する形で形成されている。なお本実施形態では、格納部１５は、足場板本体３の短手方向を正面にして見て矩形形状であるが、台形状、円弧状としてもよい。格納部１５の形状は、左右の幅木２０を格納可能な形状であることが必要なことは言うまでもないが、格納部１５の上端１９と足場板本体３の上面１０との間の距離ができるだけ大きく取れ、加工が容易な形状が好ましい。格納部１５の上端１９と足場板本体３の上面１０との間の距離を大きく取れば、足場板本体３の強度に殆ど影響を及ぼさない。
【００２１】
足場板本体３が中実材からなる場合、例えば一枚の板からなるときは、足場板本体３の底面１１を格納部１５の形状に加工すればよく、足場板本体３が平板１７、枠体１６、補強材１８で形成されている場合には、前後に設けられているはり材５のみを加工することで格納部１５を形成することができる。なお、補強材１８が邪魔となる場合は、該当部分を切除する必要があるが、可能な限り補強材１８を切除しないように補強材１８を配置することが、足場板本体３の強度確保、加工の容易性の点から好ましい。なお、格納部１５は左右の幅木２０を同時に格納可能な大きさの格納部１５を一つ設けることが加工等を考えれば効率的であるが、補強材１８との関係で左右の幅木２０を同時に格納可能な大きさの格納部１５を設けることができないときは、左右それぞれの幅木２０を格納可能な格納部１５ａ、１５ｂを設けてもよい。格納部１５の位置は、幅木２０の高さを決める大きな因子であり、短手方向の中央に設けることで幅木２０の高さを高くすることができる。図２に格納部１５の形成要領を示す。図２（ａ）は、左右の幅木２０を同時に格納可能な大きさの格納部１５を一つ設ける場合、図２（ｂ）は、左右それぞれの幅木２０を格納可能な格納部１５ａ、１５ｂを設ける場合である。
【００２２】
幅木２０は、ロールスクリーン状の構造からなり、実質的に幅木として機能するシート２５、シート２５を巻き取り格納する巻取装置（図示を省略）を内蔵するケーシング２７を有し、シート２５の端部には棒体２９が取り付けられている。シート２５は薄く、耐久性、柔軟性がある素材からなる。シート２５の幅は、足場板本体３の長手方向の長さＬと同じであり、シート２５の長さは、連結具４０を起立させた状態で先端部に取り付けられた棒体２９が足場板本体３の底面１１に達する長さを有する。左右一対の幅木２０は同一である。
【００２３】
ケーシング２７は、巻取パイプ（図示を省略）及び巻取用コイルスプリング（図示を省略）を備える巻取装置（図示を省略）を内蔵し、シート２５の一端は巻取パイプに連結され、巻取パイプには常にシートを巻取る方向に力が作用している。巻取装置は、特定の構造のものに限定されるものではなく、幅木２０を使用しないとき、つまりシート２５を引き出す方向に力が加わっていないとき、又は引き出されたシート２５が固定されていないときは、シート２５を巻取りケーシング２７内に格納し、幅木２０を使用するに際し、シート２５を引張ると、巻きが解かれシート２５が引き出さればよい。またロック機構を内蔵し、シート２５を引き出した状態でロックし、下方に引っ張るとロックが解除されシート２５が巻き取られる巻取装置でもよい。このような巻取装置を使用したロールスクリーンは従来から多く使用されており、例えば特開平６−１９３３７２号公報、http://jp.os-worldwide.com/products/osscreen/front/spring/lt.htmlに記載されている。
【００２４】
シート２５の端部に取り付けられた棒体２９は、シート２５がケーシング２７内に入り込むことを防止し、幅木２０を使用するときシート２５を引き出す取っ手としての役目、棒体２９を足場板本体３の左側面８、右側面９に設けられた掛止部（図示を省略）に掛止させることでシート２５を固定するフックの役目、さらには錘の役目も果たす。なお棒体２９を磁石とし、これを足場板本体３の左側面８、右側面９に吸着させシート２５を固定させるようにしてもよい。
【００２５】
連結具４０は、幅木２０を支持すると共に、幅木２０を足場板本体３に回動自在に連結するための部材である。連結具２０は、Ｌ字形状の連結棒４６（４６ａ、４６ｂ）と連結棒４６を足場板本体３に回動自在に連結する支持ピン４２（４２ａ、４２ｂ）からなる。２つの連結棒４６の長腕部４８（４８ａ、４８ｂ）の先端部に幅木２０のケーシング２７の両端部が取り付けられ、短腕部５０（５０ａ、５０ｂ）の先端部が支持ピン４２を介して、足場板本体３の前面６、後面７の端部、具体的には側面側かつ底面近傍に回動自在に取り付けられている。よって幅木２０は、支持ピン４２を中心に、支持ピン４２とケーシング２７を結ぶ距離を半径とし、時計回り、反時計回りに回転することができる。
【００２６】
連結棒４６は、幅木２０の支持、幅木２０の足場板本体３の格納部１５への格納、幅木２０の起立のみを考えれば、直線状であってもよいが、支持ピン４２が足場板本体３の前面６、後面７の端部に取り付けられているので、連結棒４６を直線状とすると連結棒４６を起立させシート２５を引き出したとき、シート２５が足場板本体の側面８、９から若干内側に入ってしまう。足場板本体３をより有効に使用するためには、シート２５を引き出したとき、シート２５の先端部に取り付けられた棒体２９が足場板本体３の上面１０より下方に下がり、シート２５が足場板本体３の側面８、９に接触しかつシート２５と足場板本体の側面８、９との間に隙間がないことが好ましい。連結棒４６をＬ字状とすれば、短腕部５０の長さ分だけシート２５を支持ピン４２から外側に出すことができるので、シート２５が足場板本体の側面８、９に接触しかつシート２５と足場板本体の側面８、９との間に隙間がない状態とすることができる。
【００２７】
幅木２０を使用しないとき、又は足場板本体３は使用するが幅木２０を使用する必要がないときは、図１に示すように幅木２０を足場板本体３の格納部１５に格納しておく。このとき幅木２０のケーシング２７は、足場板本体３の底面１１から突出しない大きさからなるので、幅木２０がじゃまにならず又幅木２０が破損することもない。なお、幅木２０を足場板本体３の格納部１５に格納した状態で、連結具４０が回動しないように固定するロック装置を設けることが好ましい。ロック装置は、例えばケーシング２７の一部に小さなフックを取り付け、該フックが掛止する掛止部を足場板本体３に設けるように構成することで実現できる。またローラー締まりのように付勢バネを内蔵した突起と突起が嵌り込む受部とからなるロック装置を用いれば、固定、解除を簡単に行い得るので好ましい。またロック装置に磁石を利用し、ケーシング２７を磁力を利用して足場板本体３に吸着させてもよい。またロック装置は、支持ピン４２又は連結棒４６に設けてもよい。
【００２８】
幅木２０を使用するときは、図３、図４に示すように連結棒４６の長腕部４８が足場板本体３の上面１０に対して直交するように連結具４０を起立させる。ここでも必要に応じてロック装置を用いて足場板本体３に対して連結具４０を固定する。連結具４０を起立させた状態から、シート２５の端部に取り付けられた棒体２９を用いてシート２５を引き出し、棒体２９の両端部を足場板本体３に設けられた掛止部に引っ掛けることでシートが固定される。このときシート２５は、図４、図５に示すように足場板本体の側面８、９に接するように位置するので、足場板本体３の通路幅を狭めることはなく、さらにシート２５と足場板本体３との間に隙間ができず、ボルトなどの小さな物品の落下も確実に防止することができる。またシート２５が引き出され棒体２９が固定された状態においては、シート２５は常に巻取装置によりケーシング２７側に引っ張られているか、シート２５の移動がロックされた状態であるのでシート２５はぴんと張った状態である。このようにロールスクリーン状の幅木２０を使用することで薄い板を取り付けたと同じような状態を簡単に作り出すことができる。
【００２９】
幅木２０を起立させたときの幅木の高さ（幅木の先端と足場板本体３の上面１０との距離）Ｈは、連結棒の長腕部４８の長さをＬ１、ケーシング２７の直径をＤ、足場板本体３の上面１０と支持ピンとの間隔をｈとしたとき式（１）で示される。
Ｈ＝Ｌ１＋Ｄ−ｈ・・・（１）
このため幅木２０を起立させたときの幅木の高さＨを大きくするためには、連結棒の長腕部４８の長さＬ１を大きくすることが重要である。Ｌ１＋Ｄは、足場板本体３の側面８、９から格納部１５までの距離と略同一であるので、格納部１５を足場板本体３の中央部に設けた場合が最大となり足場板本体３の幅の略半分とすることができる。例えば従来から多く使用されている幅５００ｍｍ、高さ４０ｍｍの足場板本体の場合、Ｌ１＋Ｄは約２５０ｍｍ、ｈは約３０ｍｍであるので、Ｈを約２２０ｍｍとすることができる。
【００３０】
上記実施形態では、連結棒４６は長腕部４８の長さが固定されているが、連結棒の長腕部４８に伸縮機構、折り畳み機構を持たせ、幅木２０を格納する時は格納可能に長腕部４８を縮め、使用するときは長腕部４８を伸ばすようにしてもよい。図６に伸縮機構を備える連結棒４６ａの一例を示す。図６は構造を説明するための図であり、（ａ）は平面部分断面図、（ｂ）は前面側から見た破断面図である。
【００３１】
連結棒の長腕部４８ａは、大きさの異なる３つの溝形鋼状部材５２ａ、５４ａ、５６ａが入れ子構造なっており、伸縮可能に形成されている。また溝形鋼状部材５２ａ、５４ａ、５６ａには、シート２５及び棒体２９が移動するスリット５８ａが設けられている。また棒体２９の両端部には棒体２９と連結するガイド６０ａ（６０ｂは図示を省略）が設けられ、ガイド６０ａは、溝形鋼状部材５２ａ、５４ａ、５６ａ内を移動する。スリット５８ａの一端部は、連結棒４６ａを起立させたとき足場板本体の側面と一致するように設けられ、シート２５を引き出すと、シート２５はスリット５８ａをガイドとし、足場板本体の側面８に接するように下降する。溝形鋼状部材５２ａ、５４ａ、５６ａ内を移動するガイド６０ａを設けることでシート２５をより安定して移動させることができ、さらにシート２５の両端部も溝形鋼状部材５２ａ、５４ａ、５６ａのスリット５８ａに挟まれているのでシート２５に外力が加わっても変形しにくい。
【００３２】
折り畳み機構には、複数の短い棒を互いに回動自在にピンで連結し、折り畳み可能にしたものがある。連結棒の長腕部４８の長さＬ１を大きくすることで式（１）からも分かるように幅木２０を起立させたときの幅木の高さＨを大きくすることができる。シート２５の長さは連結棒の長腕部４８の長さＬ１とほぼ同じ長さが必要であり、連結棒の長腕部４８の長さＬ１を長くするに伴い、シート２５の長さも長くする必要がある。幅木が一枚の板で形成されている場合、足場板本体３の幅以上の幅木は、格納時、足場板本体３の裏側から飛び出してしまうが、本発明に係る幅木５は、ロールスクリーン状の幅木であるので、シート２５の長さを長くしてもこれらを巻取ることで格納時は非常にコンパクトにすることができ、足場板本体３の裏側への格納も簡単である。このように連結棒の長腕部４８に伸縮機構、折り畳み機構を持たせることで幅木２０を起立させたときの幅木の高さＨを足場板本体３の幅以上とすることもできる。
【００３３】
また、連結棒の長腕部４８を伸縮機構又は折り畳み機構とするとシート２５を降ろさなくても幅木２０を起立させることで下さん（高さ１５ｃｍ以上４０ｃｍ以下）、中さん（高さ３５ｃｍ以上５０ｃｍ以下）又は手すり（高さ８５ｃｍ以上）として利用することができる。
【００３４】
上記実施形態で示すように本発明に係る足場板は、幅木と足場板本体が連結具を介して連結された幅木と足場板本体とが一体化された足場板であって、幅木は、ロールスクリーン状の幅木であるので、工具を必要とせず簡単に幅木を設置することができる。また本発明に係る足場板は、幅木を足場板本体の裏側に格納できる格納式の足場板で、幅木の格納も簡単であり、使い勝手のよい足場板と言える。また幅木がロールスクリーン状であるので軽量である点も本足場板の特徴の一つと言える。なお、本発明に係る足場板は、上記実施形態に限定されるものではなく、要旨を変更しない範囲で適宜変更可能である。例えばシートの端部に取り付けられた棒体は、連結具に掛止するようにしてもよい。
【符号の説明】
【００３５】
１  足場板
３  足場板本体
８  足場板本体の左側側面
９  足場板本体の右側側面
１０  足場板本体の上面
１１  足場板本体の底面
１５、１５ａ、１５ｂ  格納部
２０  幅木
２５  シート
２７  ケーシング
２９  棒体
４０、４０ａ、４０ｂ  連結具
４６  ４６ａ、４６ｂ  連結棒
４８  ４８ａ、４８ｂ  長腕部
５０  ５０ａ、５０ｂ  短腕部
５２ａ、５４ａ、５６ａ  溝形鋼状部材
６０ａ  ガイド
【図１】
2011226093.tif 000003
【図２】
2011226093.tif 000004
【図３】
2011226093.tif 000005
【図４】
2011226093.tif 000006
【図５】
2011226093.tif 000007
【図６】
2011226093.tif 000008